(57)【要約】【課題】別途篩い装置を用意することなく、骨材の分級作業が可能な装置を提供する。【解決手段】骨材を一定の速度で水平投射または斜方投射する、投射手段と、前記骨材の落下地点に設ける回収領域を複数有してなる、収容手段と、を少なくとも備えて構成する。【選択図】図１
2016036754.tif 000002
【特許請求の範囲】
【請求項１】
骨材分級装置であって、
骨材を一定の速度で水平投射または斜方投射する、投射手段と、
前記骨材の落下地点に設ける回収領域を複数有してなる、収容手段と、
を少なくとも備えたことを特徴とする、骨材分級装置。
【請求項２】
前記収容手段が、
前記骨材の落下領域を側方から挟むように配する、一対の側壁と、
前記一対の側壁間に設置することで前記回収領域を形成する、仕切り壁と、からなり、
前記一対の側壁間での前記仕切り壁の設置箇所を調整自在に構成したことを特徴とする、請求項１に記載の骨材分級装置。
【請求項３】
前記収容手段を挟んで前記投射手段と対向する位置に設置するとともに、前記投射手段側に送風する、送風手段を更に備えたことを特徴とする、請求項１または２に記載の骨材分級装置。
【発明の詳細な説明】
【技術分野】
【０００１】
本発明は、コンクリートがれきや岩石などの破砕物や、粒状に加工した石などの粒状物などからなる骨材を、簡易に分級するための骨材分級装置に関する。
【背景技術】
【０００２】
コンクリートがれきや岩石などから再生骨材を回収する方法としては、これらをクラッシャーで破砕してから、選別装置で分級する方法が一般的である。
この選別装置には、種々の機構が採用されている。
例えば、特許文献１は、風力選別を利用した再生骨材の回収方法に係る発明である。この選別装置は、上段ふるいと下段ふるいを設けており、下段ふるいを通過できずに下端部から落下する落下物に対し、下段ふるいの下方位置に設けた送風機によって軽量成分を吹き飛ばすことで、該軽量成分を除いた落下物を再生骨材等として回収するよう構成する。
また、特許文献２には、振動篩によるサイズ選別と、風力による重量別選別を組み合わせた選別装置の発明が開示されている。
【先行技術文献】
【特許文献】
【０００３】
【特許文献１】特開２００３−２１１０９２号公報
【特許文献２】特開２００５−３２９３４６号公報
【発明の概要】
【発明が解決しようとする課題】
【０００４】
これらの特許文献で共通する点は、風力による選別は、あくまで比重の軽い異物を取り除くものであり、実質的な分級は篩い装置による選別で行っている点である。
しかし、この篩い装置は分級の程度に応じて複数の篩いを設ける必要があることから、装置も大型であり、搬出入も大がかりとなることから、破砕現場で簡便に分級作業を実施する際には不向きである。
破砕現場では、骨材として回収するにはまだ粒径の大きい破砕物を再度クラッシャーに戻して再破砕に回す作業が頻繁に生じるため、この作業のためだけに篩い装置を別途用意することは、効率が悪い。
以上の通り、篩い装置を含んだ分級装置を用意することなく、骨材の分級作業が可能となれば、作業の効率化・低コスト化が期待できる。
【０００５】
すなわち、本願発明は、別途篩い装置を用意することなく、骨材の分級作業が可能な装置の提供を目的とするものである。
【課題を解決するための手段】
【０００６】
上記の課題を解決するためになされた本願の第１発明は、骨材分級装置であって、骨材を一定の速度で水平投射または斜方投射する、投射手段と、前記骨材の落下地点に設ける回収領域を複数有してなる、収容手段と、を少なくとも備えたことを特徴とする、骨材分級装置を提供する。
また、本願の第２発明は、前記第１発明において、前記収容手段が、前記骨材の落下領域を側方から挟むように配する、一対の側壁と、前記一対の側壁間に設置することで前記回収領域を形成する、仕切り壁と、からなり、前記一対の側壁間での前記仕切り壁の設置箇所を調整自在に構成したことを特徴とする。
また、本願の第３発明は、前記第１発明または第２発明において、前記収容手段を挟んで前記投射手段と対向する位置に設置するとともに、前記投射手段側に送風する、送風手段を更に備えたことを特徴とする。
【発明の効果】
【０００７】
本願発明によれば、以下に記載する効果を奏する。
（１）篩い装置が不要である。
分級現場に篩い装置を搬入・設置する必要がないため、分級作業を簡便に実施できる。
（２）分級作業の粒度調整が可能である。
仕切り壁の設置箇所を可変とすることで、分級作業の粒度調整をその都度調整することが可能となる。
（３）分級精度の向上が可能である。
送風手段から風を送ることにより、風の抵抗でもって、骨材の落下位置の違いをより顕著に表すことができる。
【図面の簡単な説明】
【０００８】
【図１】本発明に係る骨材分級装置の第１実施例を示す概略図。
【図２】本発明に係る骨材分級装置の第２実施例を示す概略図。
【図３】本発明に係る骨材分級装置の第３実施例を示す概略図。
【発明を実施するための形態】
【０００９】
以下、本願発明の実施例について説明する。
【実施例１】
【００１０】
本発明に係る骨材分級装置の第１実施例について説明する。
図１に示すように、本実施例に係る骨材分級装置は、コンクリートがれきや岩石などを破砕手段（図示せず）で破砕して骨材とする現場に設置する装置である。
本発明に係る骨材分級装置は、投射手段１０と、収容手段２０と、を少なくとも含んで構成する。
以下、各手段の詳細について説明する。
【００１１】
投射手段１０は、骨材Ａを前方に投射するための手段である。
投射手段１０は、ベルトコンベアなどの公知の搬送装置や、公知の投擲装置などを用いることができる。図１では、投射手段１０にベルトコンベアを用いている。
このベルトコンベアは、図示していない破砕手段に含まれている、ベルトコンベアを兼用する形でもよい。
【００１２】
投射手段１０の投射方向は、水平方向や、水平方向から上方に傾斜角度を付けた方向を想定する。
よって、投射手段１０で搬送された骨材Ａは、ベルトコンベアの搬送速度を初速として、自由空間に水平投射または斜方投射されるようなイメージとなる。
このとき、ベルトコンベアの搬送速度を一定としておくことで、投射速度も一定のまま、骨材が投射されることとなる。
【００１３】
収容手段２０は、投射された骨材Ａを収容するための手段である。
本実施例では、自由空間上に骨材Ａが投射されるため、収容手段２０そのものが実体を有するものではなく、仮想的な仕切り（仮想仕切り２１）によって仕切られた領域（回収領域２０ａ）を複数集めた構成を、収容手段２０としている。
【００１４】
投射手段１０によって投射された骨材Ａは、自由落下によって次々に地上へと落下する。
このとき、骨材Ａの密度を一定と仮定した場合、粒径の小さい骨材Ａは、重量が軽くなるため空気抵抗をより多く受けることとなり、投射手段１０に近い位置に落下することとなる。反対に、粒径の大きな骨材Ａは、重量が重くなるため、空気抵抗の影響は小さくなり、投射手段１０から遠い位置に落下することとなる。
この空気抵抗の影響による落下地点の差異を利用して骨材Ａを分級することができる。
なお、投射手段１０による投射速度を大きくすればするほど、骨材Ａの落下地点の違いが大きく現れる。
【００１５】
本発明に係る骨材分級装置は、従来の篩い装置による分級と比較した場合、細かな粒度調整による分級には適さないものの、別途篩い装置などを用意せずに、骨材として再利用するにはまだ大きな骨材のみを再度破砕機へと送り返す必要がある場合や、軽微な粒度調整など、簡易的に骨材を分級する必要がある際に好適である。
【実施例２】
【００１６】
本発明に係る骨材分級装置の第２実施例について説明する。
本発明は、前記第１実施例に記載の仮想仕切り２１を、実体のある壁体に置き換えたり、複数の箱体を隣接設置し、箱体内部を回収領域２０ａとしたりするように構成することができる（図示せず）。
【実施例３】
【００１７】
本発明に係る骨材分級装置の第３実施例について説明する。
図２に示すように本発明に係る収容手段２０は、一対の側壁２２と、仕切り壁２３とで構成することができる。
【００１８】
一対の側壁２２は、仕切り壁２３を設置するための部材である。
一対の側壁２２は、前記骨材Ａの落下領域を側方から挟むように配置する。
側壁２２には、板材、骨材を通さない程度の網目を有する金網、布（シート状の物）などを用いることができる。
【００１９】
仕切り壁２３は、落下した骨材Ａを任意の領域毎に仕切るための部材である。
仕切り壁に２３は、板材、金網などを用いることができる。
仕切り壁２３は、一対の側壁２２間に設置することで、該仕切り壁２３によって区分けされた複数の回収領域２０ａを形成することができる。
側壁２２と仕切り壁２３との取付構造は、公知の構造を用いることができる。
【００２０】
また、仕切り壁２３は、投射された骨材Ａの落下軌跡の途上に設ける障害物とすることで、落下軌跡の違いによる分級を行うこともできる。
【００２１】
また、仕切り壁２３をメッシュ構造にしておけば、仕切り壁２３そのものに篩い機能を持たせた態様とすることもできる。
【００２２】
本実施例に係る骨材分級装置によれば、前記一対の側壁２２に対する仕切り壁２３の設置位置（投射手段１０からの距離や、仕切り壁２３の天端高さ）や、仕切り壁の篩い機能の有無を適宜原稿することによって、分級態様を調整することができる。
【実施例４】
【００２３】
本発明に係る骨材分級装置の第４実施例について説明する。
図３に示すように、本発明に係る骨材分級装置はさらに送風手段３０を設けることができる。
送風手段３０は、収容手段２０を挟んで、投射手段１０と対向する位置に設置する。
【００２４】
本実施例に係る骨材分級装置によれば、送風手段３０から風を送ることにより、風の抵抗でもって、骨材Ａの落下位置の違いをより顕著に表すことができる。
【符号の説明】
【００２５】
１０    投射手段
２０    収容手段
２０ａ  回収領域
２１    仮想仕切り
２２    側壁
２３    仕切り壁
３０    送風手段
Ａ      骨材
【図１】
2016036754.tif 000003
【図２】
2016036754.tif 000004
【図３】
2016036754.tif 000005